【事件の表示】
　特願２０１２−　９１３８３「無線通信システム、無線通信方法及び無線端末装置」拒絶査定不服審判事件〔平成２５年１０月２８日出願公開、特開２０１３−２２２９９１〕について、次のとおり審決する。
【結　論】
　本件審判の請求は、成り立たない。
【理　由】
第１　手続の経緯 
　本願は、平成２４年４月１２日の出願であって、原審において平成２６年６月２日付けで手続補正され、同年７月１５日付けで拒絶理由が通知され、同年９月１９日付けで手続補正されたが、同年１０月３１日付けで拒絶査定がなされ、これに対し、平成２７年２月６日に拒絶査定不服の審判が請求されるとともに、同日付けで手続補正されたものである。
 　 
第２　補正却下の決定 
［補正却下の決定の結論］
　平成２７年２月６日付けの手続補正を却下する。 
　
［理由］ 
１．本願発明と補正後の発明 
　上記手続補正（以下「本件補正」という。）は、本件補正前の平成２６年９月１９日付けで手続補正された特許請求の範囲の請求項２２に記載された 
　
　「第１の通信装置と第２の通信装置とが無線通信するための無線通信方法であって、
　前記第１の通信装置と前記第２の通信装置との無線通信に用いられる予め定められた第１の無線設定情報を記憶する第１の記憶手順と、
　前記第１の記憶手順で記憶した第１の無線設定情報を用いて無線設定を行う設定手順と、
　前記無線通信における固有の識別情報を含む情報を生成する生成手順と、
　前記生成手順で生成された情報を含む信号を送信する送信手順と、を備え、
　前記第２の通信装置は、
　前記送信手順で送信された信号を受信する受信手順と、
　前記受信手順で受信した信号から前記生成手順で生成された情報に含まれる前記固有の識別情報を抽出する抽出手順と、
　前記第１の通信装置と前記第２の通信装置との無線通信に用いられる、予め定められた一又は複数の第２の無線設定情報を記憶する第２の記憶手順と、
　前記抽出手順で抽出された固有の識別情報を用いて前記第２の記憶手順で記憶した一又は複数の第２の無線設定情報の中から前記第１の無線設定情報と対応する無線設定情報を決定する決定手順と、
　前記決定手順で決定された無線設定情報を用いて前記第１の通信装置との無線通信の接続を確立するネットワーク制御手順と、
　を含むことを特徴とする無線通信方法。」
　
という発明（以下「本願発明」という。）を、 
　
　「第１の通信装置と第２の通信装置とが無線通信するための無線通信方法であって、
　前記第１の通信装置と前記第２の通信装置との無線通信に用いられる予め定められた第１の無線設定情報を記憶する第１の記憶手順と、
　前記第１の記憶手順で記憶した第１の無線設定情報を用いて無線設定を行う設定手順と、
　前記無線通信における固有の識別情報を含む情報を生成する生成手順と、
　前記生成手順で生成された情報を含む信号を送信する送信手順と、を備え、
　前記第２の通信装置は、
　前記送信手順で送信された信号を受信する受信手順と、
　前記受信手順で受信した信号から前記生成手順で生成された情報に含まれる前記固有の識別情報を抽出する抽出手順と、
　前記第１の通信装置と前記第２の通信装置との無線通信に用いられる、予め定められた複数の第２の無線設定情報を記憶する第２の記憶手順と、
　前記抽出手順で抽出された固有の識別情報を用いて前記第２の記憶手順で記憶した複数の第２の無線設定情報の中から前記第１の無線設定情報と対応する無線設定情報を決定する決定手順と、
　前記決定手順で決定された無線設定情報を用いて前記第１の通信装置との無線通信の接続を確立するネットワーク制御手順と、
　前記ネットワーク制御手順は、
　無線通信の接続に用いる前記第２の無線設定情報を、前記生成手順で生成された情報に含まれる第２の無線設定情報の識別情報に基づき設定する、
　ことを特徴とする無線通信方法。」
　
という発明（以下「補正後の発明」という。）に変更することを含むものである。 
　なお、本願発明及び補正後の発明において、「前記抽出手段」及び「前記第２の記憶手段」との記載があるが、当該「前記抽出手段」及び「前記第２の記憶手段」の記載の前に、「抽出手段」及び「第２の記憶手段」の記載はないから、それぞれ「前記抽出手順」及び「前記第２の記憶手順」の誤記と認め、上記本願発明及び補正後の発明のとおり認定した。
２．新規事項の有無、シフト補正、補正の目的要件について 
　上記補正は、願書に最初に添付した明細書、特許請求の範囲又は図面に記載した事項の範囲内において、補正前の特許請求の範囲の請求項２２に記載された、「一又は複数の第２の無線設定情報」に関し、択一的記載の一方を削除して「複数の第２の無線設定情報」と限定し、また、「ネットワーク制御手順」に関し、「前記ネットワーク制御手順は、無線通信の接続に用いる前記第２の無線設定情報を、前記生成手順で生成された情報に含まれる第２の無線設定情報の識別情報に基づき設定する」と限定して、特許請求の範囲を減縮するものであるから、特許法第１７条の２第３項及び第４項の規定に適合するとともに、特許法第１７条の２第５項第２号に掲げる特許請求の範囲の減縮を目的とするものに該当する。
　
３．独立特許要件について 
　本件補正は特許請求の範囲の減縮を目的とするものであるから、本件補正後の発明が特許出願の際独立して特許を受けることができるものであるのかどうか（特許法第１７条の２第６項で準用する同法第１２６条第７項の規定に適合するかどうか）について以下に検討する。 
　
（１）補正後の発明 
　上記「１．本願発明と補正後の発明」の項で補正後の発明として認定したとおりである。 
　
（２）引用発明
　当審で新たに引用する、本願の出願の日前に日本国内において頒布された刊行物である特開２００７−１４３１１７号公報（平成１９年６月７日公開、以下「引用例１」という。）には、図面とともに以下の事項が記載されている。 
　
イ．「【技術分野】
【０００１】
　本発明は、無線ネットワークの通信パラメータを自動設定する技術に関する。」（３頁）
ロ．「【００１６】
　［第１の実施形態］
　図１は、無線端末１０１と第一アクセスポイント１０４とから構成される無線ＬＡＮシステムの一例を示す図である。第一アクセスポイント１０４はIEEE 802.11x規定の無線通信機能１０５を有し、通信パラメータ自動設定起動ボタン１０６を押下することで通信パラメータ設定用の無線ネットワークを構築し、通信パラメータ自動設定を開始する。なお、通信パラメータには、ネットワーク識別子（SSID：Service Set ID）、暗号鍵、認証方式、認証鍵等がある。
【００１７】
　無線端末１０１もIEEE 802.11x規定の無線通信機能１０２を有し、通信パラメータ自動設定起動ボタン１０３を押下することで通信パラメータ自動設定を開始する。
【００１８】
　また、図２は無線端末１０１と第二アクセスポイント１０７とから構成される無線ＬＡＮシステムの一例を示す図である。第二アクセスポイント１０７も第一アクセスポイントと同様に、無線通信機能１０８を有し、通信パラメータ自動設定起動ボタン１０９を押下することで通信パラメータ設定用の無線ネットワークを構築し、通信パラメータ自動設定を開始する。
【００１９】
　更に、図３は無線端末１０１と第三アクセスポイント１１０とから構成される無線ＬＡＮシステムの一例を示す図である。第三アクセスポイント１１０も第一アクセスポイントと同様に、無線通信機能１１１を有し、通信パラメータ自動設定起動ボタン１１２を押下することで通信パラメータ設定用の無線ネットワークを構築し、通信パラメータ自動設定を開始する。
【００２０】
　ここで、図４を用いて、無線端末１０１及び第一アクセスポイント１０４の内部構成について説明する。また、第二アクセスポイント１０７及び第三アクセスポイント１１０の内部構成は、第一アクセスポイント１０４と同様であり、その説明は省略する。
【００２１】
　図４は、無線端末１０１及びアクセスポイント１０４の内部構成の一例を示すブロック図である。まず、無線端末１０１側のブロック図において、４０１は制御部であり、後述するＲＯＭに格納されたプログラムに従って無線端末を制御する。４０２は無線通信処理部であり、無線ＬＡＮの通信制御を行う。４０３はＲＡＭであり、制御部４０１が制御を実行時に使用する作業領域や各種テーブルが定義されたメモリである。４０４はＲＯＭであり、制御命令（プログラム）や制御データが格納されている。
【００２２】
　４０６はアンテナ制御部であり、アンテナ４０５を制御する。４０７は通信パラメータ設定開始ボタンであり、通信パラメータ設定起動を行う。４０８は表示部であり、ＬＣＤやＬＥＤなどにより無線端末の状態や後述する操作部での操作入力を表示する。４０９は操作部であり、無線端末への操作を指示するボタンなどを含む。４１０は電源部であり、二次電池なども含む。４１１は無線以外の通信インタフェース部であり、例えばＵＳＢやＩＥＥＥ１３９４などの有線インタフェースである。
【００２３】
　尚、通信パラメータ設定開始ボタン４０７は、図１に示す通信パラメータ自動設定起動ボタン１０３に相当するものである。また、通信パラメータを自動設定する処理については更に後述する。
【００２４】
　次に、第一アクセスポイント１０４側のブロック図において、４１２は制御部であり、後述するＲＯＭに格納されたプログラムに従ってアクセスポイントを制御する。４１３は無線通信処理部であり、無線ＬＡＮの構築や通信制御などを行う。４１４はＲＡＭであり、制御部４１２が制御を実行時に使用する作業領域や各種テーブルが定義されたメモリである。４１５はＲＯＭであり、制御命令（プログラム）や制御データが格納されている。
【００２５】
　４１６は通信パラメータ設定開始ボタンであり、当該ボタンが押下されると、通信パラメータの自動設定処理が開始される。４１７はアンテナ制御部であり、アンテナ４１８を制御する。４１９は表示部であり、ＬＣＤやＬＥＤなどによりアクセスポイントの状態や後述する操作部での操作入力を表示する。４２０は操作部であり、アクセスポイントへの操作を指示するボタンなどを含む。４２１は電源部である。４２２は無線以外の通信インタフェース部であり、例えばＵＳＢやＩＥＥＥ１３９４などの有線インタフェースである。
【００２６】
　尚、通信パラメータ設定開始ボタン４１６は、図１に示す通信パラメータ自動設定起動ボタン１０６（図２に示す１０９又は図３に示す１１２）に相当するものである。また、通信パラメータを自動設定する処理については更に後述する。
【００２７】
　以上の構成において、第一アクセスポイント１０４は、第一の通信パラメータ自動設定方法１１３に対応している。また、第二アクセスポイント１０７は第二の通信パラメータ自動設定方法１１４に対応している。そして、第三アクセスポイント１１０は第三の通信パラメータ自動設定方法１１５に対応している。
【００２８】
　一方、無線端末１０１は、第一の通信パラメータ自動設定方法１１３と第二の通信パラメータ自動設定方法１１４の両方に対応している。
【００２９】
　尚、通信パラメータの自動設定方法とは、接続する機器間で予め定められた手順、及びメッセージにより、通信パラメータの設定を自動的に行う方法のことをいう。通信パラメータの自動設定方法に関しては、各メーカーが独自の方法を採用している場合が多い。
【００３０】
　従って、共通の通信パラメータ自動設定方法に対応していない機器間では、通信パラメータ設定のための手順が異なるか、解読可能なメッセージが異なり、自動設定方法を用いて通信パラメータの設定を行うことはできない。一方、共通の通信パラメータ自動設定方法に対応している機器の間では、当該自動設定方法を用いて簡単に通信パラメータの設定を行うことができる。
【００３１】
　通信パラメータの自動設定方法の一例を以下に示す。
【００３２】
　まず、機器Ａは、予め記憶している通信パラメータ設定用のSSIDと暗号方式、暗号鍵を用いて、通信パラメータ設定用のネットワークを構築する。機器Ｂは、機器Ａと同じ通信パラメータ設定用のSSID、暗号方式、及び暗号鍵を予め記憶しており、これらを用いて、機器Ａが構築したネットワークに参加する。そして、通信パラメータ設定用ネットワーク内の機器Ａが、通常のデータ通信に使用する通信パラメータを自動生成し、生成した通信パラメータを機器Ｂに送信する。機器Ｂは機器Ａから送信されたデータ通信用の通信パラメータを受信すると、当該通信パラメータを自機器に設定する。」（４〜６頁）
ハ．「【００３９】
　図５は、通信パラメータ自動設定方法で用いられるネットワークSSID（ネットワーク識別子）の一例を示す図である。図５に示すように、第一の通信パラメータ自動設定方法１１３では、SSID=ABCにより通信パラメータの自動設定を行うための無線ネットワークが構築される。このSSID=ABCは第一の通信パラメータ自動設定用の無線ネットワークを構築する機器が送信するビーコン内に含まれるものである。また同様に、第二の通信パラメータ自動設定方法１１４では、SSID=DEFにより通信パラメータの自動設定を行うための無線ネットワークが構築される。このSSID=DEFは第二の通信パラメータ自動設定用の無線ネットワークを構築する機器が送信するビーコン内に含まれるものである。第三の通信パラメータ自動設定方法１１５でも同様に、SSID=GHIにより通信パラメータの自動設定を行うための無線ネットワークがS構築される。このSSID=GHIは、第三の通信パラメータ自動設定用の無線ネットワークを構築する機器が送信するビーコン内に含まれるものである。
【００４０】
　次に、図６及び図７を用いて、第１の実施形態における通信パラメータ自動設定方法を選択して通信パラメータを自動設定する処理について説明する。
【００４１】
　図６は、アクセスポイントにおける通信パラメータ自動設定処理を示すフローチャートである。ここでは、第一アクセスポイント１０４を例に挙げて説明するが、他のアクセスポイントでも同様に処理が行われるものである。
【００４２】
　まず、ユーザが通信パラメータ自動設定起動ボタン１０６を押下すると、第一アクセスポイント１０４は通信パラメータ設定用のSSID=ABCを用いて無線ネットワークが既に構築されているか否かを検索する（ステップＳ６０１）。ここで、まだ構築されていなければ（ステップＳ６０２のＹＥＳ）、自ら通信パラメータ自動設定用の無線ネットワークを構築し、このSSID=ABCを含むビーコンの送信を開始する（ステップＳ６０３）。
【００４３】
　その後、第一アクセスポイント１０４は、無線端末１０１からSSID=ABCを含むプローブ要求の受信を待つ（ステップＳ６０４）。そして、プローブ要求を受信し、プローブ要求に含まれるSSIDと構築した無線ネットワークのSSIDとを比較し、一致すると（ステップＳ６０４のＹＥＳ）、プローブ応答を無線端末１０１へ送信する（ステップＳ６０５）。
【００４４】
　次に、第一アクセスポイント１０４は、無線端末１０１との間で第一の通信パラメータ自動設定方法１１３を用いて通信パラメータの設定を行う（ステップＳ６０６）。そして、通信パラメータの設定が完了すると（ステップＳ６０７）、設定された通信パラメータを用いて無線による画像等のデータ通信を行うことが可能になる。
【００４５】
　図７は、無線端末１０１における通信パラメータ自動設定処理を示すフローチャートである。まず、ユーザが通信パラメータ自動設定起動ボタン１０３を押下すると、無線端末１０１は通信パラメータ自動設定用のSSIDを検索する（ステップＳ７０１）。ここでは、自分の記憶記憶する二つの通信パラメータ自動設定用のSSID（ABC及びDEF）で通信パラメータ自動設定用の無線ネットワークが構築されているか否かを検索する。尚、この検索処理については図８及び図９を用いて更に後述する。
【００４６】
　次に、図１に示す第一の構成で、検索処理の結果、第一アクセスポイント１０４が第一の通信パラメータ自動設定用の無線ネットワーク（SSID=ABC）を構築していることを無線端末１０１が確認した場合について説明する。
【００４７】
　無線端末１０１において、自分の記憶記憶する通信パラメータ自動設定用のSSIDを検知した場合（ステップＳ７０２のＹＥＳ）、そのSSIDに対応した通信パラメータ自動設定方法を行う（ステップＳ７０３）。つまり、無線端末１０１と第一アクセスポイント１０４との間で第一の通信パラメータ自動設定方法１１３を用いて、通信パラメータ（SSID（Service Set ID）、暗号鍵、認証方式、認証鍵など）の設定を行う。そして、通信パラメータの設定が完了すると（ステップＳ７０５）、設定された通信パラメータを用いて無線によるデータ通信を行うことが可能になる。
【００４８】
　また、図２に示す第二の構成で、検索処理の結果、第二アクセスポイント１０７が第二の通信パラメータ自動設定用の無線ネットワーク（SSID=DEF）を構築していることを無線端末１０１が確認した場合について説明する。
【００４９】
　尚、この場合、第二アクセスポイント１０７においても、図６に示したフローチャートに従って第一アクセスポイント１０４と同様に通信パラメータ自動設定処理が行われる。また、無線端末１０１でも通信パラメータ自動設定用のSSIDの検索処理が行われる。
【００５０】
　無線端末１０１において、自分の記憶する通信パラメータ自動設定用のSSIDを検知した場合（ステップＳ７０２のＹＥＳ）、そのSSIDに対応した通信パラメータ自動設定方法を行う（ステップＳ７０３）。つまり、無線端末１０１と第二アクセスポイント１０４との間で第二の通信パラメータ自動設定方法１１４を用いて、通信パラメータの設定を行う。そして、通信パラメータの設定が完了すると（ステップＳ７０５）、設定された通信パラメータを用いて無線によるデータ通信を行うことが可能になる。」（７〜８頁）
ニ．「【００５８】
　＜検索処理方法２＞
　図９は、検索処理方法２における検索判定処理を示すフローチャートである。通信パラメータ自動設定ボタン１０３が押下されると、自分の記憶する通信パラメータ自動設定用のSSID（ABC及びDEF）を含むビーコンの受信待ち状態に遷移する（ステップＳ９０１）。即ち、SSID=ABCが設定されたビーコンと、SSID= DEFが設定されたビーコンの受信待ち状態に遷移する。図１に示す構成では、第一アクセスポイント１０４がSSID=ABCのネットワークを既に構築している場合、そのSSID=ABCを含むビーコンを送信している。ここで、無線端末１０１がこのビーコンを受信した場合（ステップＳ９０２のＹＥＳ）、そのビーコン内に含まれるSSID=ABCと自分の記憶している通信パラメータ設定用のSSID（ABC及びDEF）とを比較する（ステップＳ９０３）。ここで、SSIDが一致すると（ステップＳ９０４のＹＥＳ）、自分の記憶する通信パラメータ自動設定用のSSIDを検知できたと判断し（ステップＳ９０５）、この検索処理を終了する。
【００５９】
　また、該当するSSIDのビーコンを受信できなかった場合（ステップＳ９０４のＮＯ）、自分の記憶する通信パラメータ自動設定用のSSIDは検索できなかったと判断し（ステップＳ９０６）、この検索処理を終了する。
【００６０】
　尚、上述した検索処理方法は各々を個別に用いても良いし、検索処理方法１、２を併用しても良い。
【００６１】
　このように、本実施形態では、無線端末は、自機器が対応している通信パラメータ自動設定方式に用いられるSSIDを予め記憶しておき、当該SSIDを使用して通信パラメータ設定用のネットワークを構築しているアクセスポイントを検索する。そして、検索の結果、共通の通信パラメータ自動設定方式に対応しているアクセスポイントとの間で簡単に通信パラメータの設定を行うことができる。」（９頁）
　上記引用例１の記載及び図面並びにこの分野における技術常識を考慮すると、上記ロ．の【００１６】における「図１は、無線端末１０１と第一アクセスポイント１０４とから構成される無線ＬＡＮシステムの一例を示す図である。」との記載、同ロ．の【００１８】における「図２は無線端末１０１と第二アクセスポイント１０７とから構成される無線ＬＡＮシステムの一例を示す図である。」との記載、上記ハ．の【００４０】における「図６及び図７を用いて、第１の実施形態における通信パラメータ自動設定方法を選択して通信パラメータを自動設定する処理について説明する。」との記載、及び図１、２、６、７によれば、引用例１の通信パラメータ自動設定方法は、第一及び第二アクセスポイント（１０４，１０７）と無線端末（１０１）との通信パラメータ自動設定方法である。ここで、通信パラメータ自動設定方法は、通信パラメータを設定するから、第一及び第二アクセスポイント（１０４，１０７）と無線端末（１０１）とが無線通信するためであることは明らかである。
　そうすると、通信パラメータ自動設定方法は、第一及び第二アクセスポイント（１０４，１０７）と無線端末（１０１）とが無線通信するための通信パラメータ自動設定方法ということができる。
　また、上記ロ．の【００３２】における「機器Ａは、予め記憶している通信パラメータ設定用のSSIDと暗号方式、暗号鍵を用いて、通信パラメータ設定用のネットワークを構築する。機器Ｂは、機器Ａと同じ通信パラメータ設定用のSSID、暗号方式、及び暗号鍵を予め記憶しており、これらを用いて、機器Ａが構築したネットワークに参加する。」との記載によれば、通信パラメータ自動設定方法は、機器Ａ、すなわち、第一及び第二アクセスポイント（１０４，１０７）が、予め定められた通信パラメータ設定用のSSIDと暗号方式、暗号鍵（以下「第１の通信パラメータ」と称する。）を記憶している。ここで、第１の通信パラメータは、第一及び第二アクセスポイント（１０４，１０７）と無線端末（１０１）との無線通信に用いられることは明らかである。
　そうすると、通信パラメータ自動設定方法は、（α）第一及び第二アクセスポイント（１０４，１０７）と無線端末（１０１）との無線通信に用いられる予め定められた第１の通信パラメータを記憶しており、この手順を第１の記憶手順と称することは任意である。
　また、同様に、通信パラメータ自動設定方法は、機器Ｂ、すなわち、無線端末（１０１）が、予め定められた通信パラメータ設定用のSSIDと暗号方式、暗号鍵（以下「第２の通信パラメータ」と称する。）を記憶している。ここで、第２の通信パラメータは、第一及び第二アクセスポイント（１０４，１０７）と無線端末（１０１）との無線通信に用いられることは明らかである。そして、上記ハ．の【００４７】における「無線端末１０１と第一アクセスポイント１０４との間で第一の通信パラメータ自動設定方法１１３を用いて、通信パラメータ（SSID（Service Set ID）、暗号鍵、認証方式、認証鍵など）の設定を行う。」との記載、同ハ．の【００５０】における「無線端末１０１と第二アクセスポイント１０４との間で第二の通信パラメータ自動設定方法１１４を用いて、通信パラメータの設定を行う。」との記載によれば、無線端末（１０１）は、第１及び第二アクセスポイント（１０４，１０７）に対応して２つの第２の通信パラメータを記憶していることは明らかである。
　そうすると、通信パラメータ自動設定方法は、（β）第一及び第二アクセスポイント（１０４，１０７）と無線端末（１０１）との無線通信に用いられる予め定められた２つの第２の通信パラメータを記憶しており、この手順を第２の記憶手順と称することは任意である。
　また、通信パラメータ自動設定方法は、上記（α）において、第１の通信パラメータを記憶し、第一及び第二アクセスポイント（１０４，１０７）と無線端末（１０１）との無線通信に用いられるから、前述の第１の記憶手順で記憶した第１の通信パラメータを用いて無線設定を行っていることは明らかである。
　そうすると、通信パラメータ自動設定方法は、（γ）第１の記憶手順で記憶した第１の通信パラメータを用いて無線設定を行っており、この手順を設定手順と称することは任意である。
　また、上記ハ．の【００３９】における「図５に示すように、第一の通信パラメータ自動設定方法１１３では、SSID=ABCにより通信パラメータの自動設定を行うための無線ネットワークが構築される。・・・また同様に、第二の通信パラメータ自動設定方法１１４では、SSID=DEFにより通信パラメータの自動設定を行うための無線ネットワークが構築される。」との記載、及び図５によれば、通信パラメータ自動設定方法は、第一の通信パラメータ自動設定方法（１１３）、すなわち、第一のアクセスポイント（１０４）が通信パラメータの自動設定を行っている場合、SSID=ABCにより行い、また、第二の通信パラメータ自動設定方法（１１４）、すなわち、第二のアクセスポイント（１０７）が通信パラメータの自動設定を行っている場合、SSID=DEFにより行っているから、無線通信通信におけるABC又はDEFを含むSSIDを生成していることは明らかである。
　そうすると、通信パラメータ自動設定方法は、（δ）無線通信におけるABC又はDEFを含むSSIDを生成しており、この手順を生成手順と称することは任意である。
　また、上記ハ．の【００４２】における「SSID=ABCを含むビーコンの送信を開始する（ステップＳ６０３）。」との記載、及び図６によれば、通信パラメータ自動設定方法は、上記（δ）において、生成されたSSIDを含むビーコンを送信している。
　そうすると、通信パラメータ自動設定方法は、（ε）生成手順で生成されたSSIDを含むビーコンを送信しており、この手順を送信手順と称することは任意である。
　また、上記ニ．の【００５８】における「無線端末１０１がこのビーコンを受信した場合（ステップＳ９０２のＹＥＳ）」との記載、及び図９によれば、通信パラメータ自動設定方法は、無線端末（１０１）が、前述の送信手順で送信されたビーコンを受信している。
　そうすると、通信パラメータ自動設定方法は、無線端末（１０１）が、（ζ）送信手順で送信されたビーコンを受信しており、この手順を受信手順と称することは任意である。
　また、上記ニ．の【００５８】における「無線端末１０１がこのビーコンを受信した場合（ステップＳ９０２のＹＥＳ）、そのビーコン内に含まれるSSID=ABCと自分の記憶している通信パラメータ設定用のSSID（ABC及びDEF）とを比較する（ステップＳ９０３）。」との記載、及び図９によれば、通信パラメータ自動設定方法は、無線端末（１０１）が、前述の受信手順で受信したビーコンに含まれるSSIDと無線端末（１０１）が記憶しているSSID（ABC及びDEF）とを比較しているから、受信手順で受信したビーコン内に含まれるABC又はDEFを含むSSIDを抽出していることは明らかである。
　そうすると、通信パラメータ自動設定方法は、無線端末（１０１）が、（η）受信手順で受信したビーコンから生成手順で生成されたSSIDに含まれるABC又はDEFを抽出しており、この手順を抽出手順と称することは任意である。
　また、上記ハ．の【００４７】における「無線端末１０１において、自分の記憶する通信パラメータ自動設定用のSSIDを検知した場合（ステップＳ７０２のＹＥＳ）、そのSSIDに対応した通信パラメータ自動設定方法を行う（ステップＳ７０３）。つまり、無線端末１０１と第一アクセスポイント１０４との間で第一の通信パラメータ自動設定方法１１３を用いて、通信パラメータ（SSID（Service Set ID）、暗号鍵、認証方式、認証鍵など）の設定を行う。」との記載、同ハ．の【００５０】における「無線端末１０１において、自分の記憶する通信パラメータ自動設定用のSSIDを検知した場合（ステップＳ７０２のＹＥＳ）、そのSSIDに対応した通信パラメータ自動設定方法を行う（ステップＳ７０３）。つまり、無線端末１０１と第二アクセスポイント１０４との間で第二の通信パラメータ自動設定方法１１４を用いて、通信パラメータの設定を行う。」との記載、上記ニ．の【００５８】における「自分の記憶する通信パラメータ自動設定用のSSID（ABC及びDEF）を含むビーコンの受信待ち状態に遷移する（ステップＳ９０１）。即ち、SSID=ABCが設定されたビーコンと、SSID=DEFが設定されたビーコンの受信待ち状態に遷移する。・・・無線端末１０１がこのビーコンを受信した場合（ステップＳ９０２のＹＥＳ）、そのビーコン内に含まれるSSID=ABCと自分の記憶している通信パラメータ設定用のSSID（ABC及びDEF）とを比較する（ステップＳ９０３）。ここで、SSIDが一致すると（ステップＳ９０４のＹＥＳ）、自分の記憶する通信パラメータ自動設定用のSSIDを検知できたと判断し（ステップＳ９０５）」との記載、及び図７、９によれば、通信パラメータ自動設定方法は、無線端末（１０１）が、前述の抽出手順で抽出されたABC又はDEFを用いて、第一の通信パラメータ自動設定方法（１１３）及び第二の通信パラメータ自動設定方法（１１４）の中から前述の第１の通信パラメータと対応する通信パラメータを決定していることが読み取れる。ここで、第一の通信パラメータ自動設定方法（１１３）及び第二の通信パラメータ自動設定方法（１１４）は、前述の２つの第２の通信パラメータであることは明らかである。
　そうすると、通信パラメータ自動設定方法は、無線端末（１０１）が、（θ）抽出手順で抽出されたABC又はDEFを用いて第２の記憶手順で記憶した２つの第２の通信パラメータの中から第１の通信パラメータと対応する通信パラメータを決定しており、この手順を決定手順と称することは任意である。
　また、上記ハ．の【００４７】における「通信パラメータの設定が完了すると（ステップＳ７０５）、設定された通信パラメータを用いて無線によるデータ通信を行うことが可能になる。」との記載、同ハ．の【００５０】における「通信パラメータの設定が完了すると（ステップＳ７０５）、設定された通信パラメータを用いて無線によるデータ通信を行うことが可能になる。」との記載、及び図７によれば、通信パラメータ自動設定方法は、無線端末（１０１）が、前述の決定手順で決定された通信パラメータを用いて第一及び第二アクセスポイント（１０４，１０７）との無線によるデータ通信を行うことが可能になる。すなわち、無線端末（１０１）が、第一及び第二アクセスポイント（１０４，１０７）との無線通信の接続を確立しているということができる。
 そうすると、通信パラメータ自動設定方法は、無線端末（１０１）が、（ι）決定手順で決定された通信パラメータを用いて第一及び第二アクセスポイント（１０４，１０７）との無線通信の接続を確立しており、この手順をネットワーク制御手順と称することは任意である。
　また、上記ハ．の【００４７】における「無線端末１０１において、自分の記憶する通信パラメータ自動設定用のSSIDを検知した場合（ステップＳ７０２のＹＥＳ）、そのSSIDに対応した通信パラメータ自動設定方法を行う（ステップＳ７０３）。つまり、無線端末１０１と第一アクセスポイント１０４との間で第一の通信パラメータ自動設定方法１１３を用いて、通信パラメータ（SSID（Service Set ID）、暗号鍵、認証方式、認証鍵など）の設定を行う。」との記載、同ハ．の【００５０】における「無線端末１０１において、自分の記憶する通信パラメータ自動設定用のSSIDを検知した場合（ステップＳ７０２のＹＥＳ）、そのSSIDに対応した通信パラメータ自動設定方法を行う（ステップＳ７０３）。つまり、無線端末１０１と第二アクセスポイント１０４との間で第二の通信パラメータ自動設定方法１１４を用いて、通信パラメータの設定を行う。」との記載、及び図７によれば、通信パラメータ自動設定方法は、無線端末（１０１）が、無線通信の接続に用いる第一の通信パラメータ自動設定方法（１１３）又は第二の通信パラメータ自動設定方法（１１４）、すなわち、前述の第２の通信パラメータを設定している。ここで、上記ニ．の【００５８】における「自分の記憶する通信パラメータ自動設定用のSSID（ABC及びDEF）を含むビーコンの受信待ち状態に遷移する（ステップＳ９０１）。・・・ビーコン内に含まれるSSID・・・と自分の記憶している通信パラメータ設定用のSSID（ABC及びDEF）とを比較する（ステップＳ９０３）。ここで、SSIDが一致すると（ステップＳ９０４のＹＥＳ）、自分の記憶する通信パラメータ自動設定用のSSIDを検知できたと判断し（ステップＳ９０５）」との記載、及び図９によれば、無線端末（１０１）は、ビーコン内に含まれるSSID（ABC又はDEF）と自分の記憶しているSSID（ABC及びDEF）とを比較しているから、前述の第２の通信パラメータを、前述の生成手順で生成されたSSIDに含まれるABC又はDEFに基づき設定していることは明らかである。
　そうすると、通信パラメータ自動設定方法は、無線端末（１０１）が、（κ）無線通信の接続に用いる第２の通信パラメータを、生成手順で生成されたSSIDに含まれるABC又はDEFに基づき設定しているということができる。
　したがって、上記（α）ないし（κ）より、上記引用例１には、以下の発明（以下「引用発明１」という。）が記載されているものと認められる。
　
　「第一及び第二アクセスポイント（１０４，１０７）と無線端末（１０１）とが無線通信するための通信パラメータ自動設定方法であって、
　前記第一及び第二アクセスポイント（１０４，１０７）と前記無線端末（１０１）との無線通信に用いられる予め定められた第１の通信パラメータを記憶する第１の記憶手順と、
　前記第１の記憶手順で記憶した第１の通信パラメータを用いて無線設定を行う設定手順と、
　前記無線通信におけるABC又はDEFを含むSSIDを生成する生成手順と、
　前記生成手順で生成されたSSIDを含むビーコンを送信する送信手順と、を備え、
　前記無線端末（１０１）は、
　前記送信手順で送信されたビーコンを受信する受信手順と、
　前記受信手順で受信したビーコンから前記生成手順で生成されたSSIDに含まれる前記ABC又はDEFを抽出する抽出手順と、
　前記第一及び第二アクセスポイント（１０４，１０７）と前記無線端末（１０１）との無線通信に用いられる、予め定められた２つの第２の通信パラメータを記憶する第２の記憶手順と、
　前記抽出手順で抽出されたABC又はDEFを用いて前記第２の記憶手順で記憶した２つの第２の通信パラメータの中から前記第１の通信パラメータと対応する通信パラメータを決定する決定手順と、
　前記決定手順で決定された通信パラメータを用いて前記第一及び第二アクセスポイント（１０４，１０７）との無線通信の接続を確立するネットワーク制御手順と、
　前記ネットワーク制御手順は、
　無線通信の接続に用いる前記第２の通信パラメータを、前記生成手順で生成されたSSIDに含まれるABC又はDEFに基づき設定する、
　通信パラメータ自動設定方法。」
（３）対比・判断 
　補正後の発明と引用発明１とを対比する。 
ａ．本願明細書段落【００６９】における「３台のプロジェクタ（プロジェクタＡ１００ａ、プロジェクタＢ１００ｂ、プロジェクタＣ１００ｃ）があった場合」との記載、段落【００８１】における「複数台のプロジェクタが存在する場合」との記載、及び図１４、１６によれば、補正後の発明の「第１の通信装置」は、複数台の通信装置を含むものであるから、引用発明１の「第一及び第二アクセスポイント（１０４，１０７）」は、補正後の発明の「第１の通信装置」ということができる。
ｂ．引用発明１の「無線端末（１０１）」は、第一及び第二アクセスポイント（１０４，１０７）に接続する通信装置であるから、補正後の発明の「第２の通信装置」ということができる。
ｃ．本願明細書段落【００４０】における「無線の通信モード、認証方式、暗号方式、無線の通信プロトコル及び接続される無線端末装置のＩＰ（Ｉｎｔｅｒｎｅｔ　Ｐｒｏｔｏｃｏｌ）アドレス」との記載によれば、補正後の発明の「無線設定情報」は、無線の通信モード、認証方式、暗号方式、無線の通信プロトコル及び接続される無線端末装置のＩＰアドレスを含むものである。一方、上記引用例１の上記ロ．の【００３２】における「通信パラメータ設定用のSSIDと暗号方式、暗号鍵」との記載によれば、引用発明１の「通信パラメータ」は、暗号方式を含むものである。
　したがって、引用発明１の「通信パラメータ」は、補正後の発明の「無線設定情報」ということができる。
ｄ．引用発明１の「ABC又はDEF」は、第一及び第二アクセスポイント（１０４，１０７）の固有の識別情報であるから、補正後の発明の「固有の識別情報」ということができる。
ｅ．引用発明１の「ABC又はDEFを含むSSID」は、上記ｄ．の対比を考慮すると、補正後の発明の「固有の識別情報を含む情報」ということができる。
ｆ．引用発明１の「ビーコン」は、識別情報を含む無線信号であるから、補正後の発明の「信号」ということができる。
ｇ．引用発明１の「ABC又はDEFに基づき設定する」と、補正後の発明の「第２の無線設定情報の識別情報に基づき設定する」とは、後述する相違点を除いて、「特定の識別情報に基づき設定する」という点で一致する。
ｈ．引用発明１の「通信パラメータ自動設定方法」は、通信パラメータを用いて、第一及び第二アクセスポイント（１０４，１０７）と無線端末（１０１）との無線通信の接続を確立しているから、補正後の発明の「無線通信方法」ということができる。
　
　したがって、補正後の発明と引用発明１は、以下の点で一致ないし相違している。
（一致点） 
　「第１の通信装置と第２の通信装置とが無線通信するための無線通信方法であって、
　前記第１の通信装置と前記第２の通信装置との無線通信に用いられる予め定められた第１の無線設定情報を記憶する第１の記憶手順と、
　前記第１の記憶手順で記憶した第１の無線設定情報を用いて無線設定を行う設定手順と、
　前記無線通信における固有の識別情報を含む情報を生成する生成手順と、
　前記生成手順で生成された情報を含む信号を送信する送信手順と、を備え、
　前記第２の通信装置は、
　前記送信手順で送信された信号を受信する受信手順と、
　前記受信手順で受信した信号から前記生成手順で生成された情報に含まれる前記固有の識別情報を抽出する抽出手順と、
　前記第１の通信装置と前記第２の通信装置との無線通信に用いられる、予め定められた複数の第２の無線設定情報を記憶する第２の記憶手順と、
　前記抽出手順で抽出された固有の識別情報を用いて前記第２の記憶手順で記憶した複数の第２の無線設定情報の中から前記第１の無線設定情報と対応する無線設定情報を決定する決定手順と、
　前記決定手順で決定された無線設定情報を用いて前記第１の通信装置との無線通信の接続を確立するネットワーク制御手順と、
　前記ネットワーク制御手順は、
　無線通信の接続に用いる前記第２の無線設定情報を、前記生成手順で生成された情報に含まれる特定の識別情報に基づき設定する、
　無線通信方法。」
（相違点）
　一致点の「特定の識別情報」に関し、
　補正後の発明は、「第２の無線設定情報の識別情報」であるのに対し、引用発明１は、「ABC又はDEF」である点。
　そこで、上記相違点について検討する。
　引用発明１の「ABC又はDEF」に関し、上記引用例１の上記ハ．の【００４７】における「無線端末１０１において、自分の記憶記憶する通信パラメータ自動設定用のSSIDを検知した場合（ステップＳ７０２のＹＥＳ）、そのSSIDに対応した通信パラメータ自動設定方法を行う（ステップＳ７０３）。つまり、無線端末１０１と第一アクセスポイント１０４との間で第一の通信パラメータ自動設定方法１１３を用いて、通信パラメータ（SSID（Service Set ID）、暗号鍵、認証方式、認証鍵など）の設定を行う。」との記載、同ハ．の【００５０】における「無線端末１０１において、自分の記憶する通信パラメータ自動設定用のSSIDを検知した場合（ステップＳ７０２のＹＥＳ）、そのSSIDに対応した通信パラメータ自動設定方法を行う（ステップＳ７０３）。つまり、無線端末１０１と第二アクセスポイント１０４との間で第二の通信パラメータ自動設定方法１１４を用いて、通信パラメータの設定を行う。」との記載によれば、無線端末（１０１）は、自分の記憶するSSID、すなわち、ABC又はDEFにより、無線端末（１０１）の第一の通信パラメータ自動設定方法（１１３）及び第二の通信パラメータ自動設定方法（１１４）、すなわち、２つの第２の通信パラメータ、のうちいずれか一方を識別して設定しているものである。
　そうすると、引用発明１の「ABC又はDEF」は、第２の通信パラメータ（第２の無線設定情報）を識別する情報といえるから、補正後の発明のように「第２の無線設定情報の識別情報」と称することは当業者が適宜なし得ることである。
　そして、補正後の発明の作用効果も、引用発明１から当業者が容易に予測できる範囲のものである。 
 　 
　以上のとおり、補正後の発明は、引用発明１に基づいて容易に発明をすることができたものであるから、特許法第２９条第２項の規定により、特許出願の際独立して特許を受けることができないものである。 
 　 
４．結語 
　したがって、本件補正は、特許法第１７条の２第６項において準用する同法第１２６条第７項の規定に違反するので、同法第１５９条第１項において読み替えて準用する同法第５３条第１項の規定により却下すべきものである。  
 　 
第３　本願発明について 
１．本願発明 
　平成２７年２月６日付けの手続補正は上記のとおり却下されたので、本願発明は、上記「第２　補正却下の決定　１．本願発明と補正後の発明」の項で「本願発明」として認定したとおりである。 
　 
２．引用発明
 　原審の拒絶理由に引用された本願の出願の日前に日本国内において頒布された刊行物である外村  克也，パソコンでもスマホでも！　Ｗｉ−Ｆｉつながる使える完全活用法，株式会社アスキー・メディアワークス，２０１２年３月２４日，２３−２７頁（平成２４年３月２４日発行、以下「引用例２」という。）には、図面とともに以下の事項が記載されている。 
イ．「自分のアクセスポイントがどれかを見極める
　Ｗｉ−Ｆｉで接続する際にもっとも重要なのが、自分のアクセスポイントがどのＳＳＩＤなのかを見極めることです。ＳＳＩＤは意味のない数字やアルファベットの組み合わせであることが多く、一覧を見ただけではどれが自分のものかわかりません。
　ＳＳＩＤはアクセスポイント本体の背面や底面に貼られたシールや説明書に書かれています。ＳＳＩＤをメモしておき、パソコンのアクセスポイント一覧を見ると、どれが自分のものかがわかります。
　自分のＳＳＩＤをクリックして、接続の設定を進めましょう。」（２３頁）
ロ．『パソコンに登録したアクセスポイントを確認する
　次ページの手順で「ネットワークと共有センター」を開き［ワイヤレスネットワークの管理］を押す。
　暗号化キーを登録したアクセスポイントが表示される
　パソコンに暗号化キーを登録したアクセスポイントの一覧が表示される。』（２５頁右欄）
ハ．「公衆無線ＬＡＮサービスの利用時に知っておくと便利
　カフェや空港など、多数の公衆無線ＬＡＮサービスが集中しているエリアでは、目的のアクセスポイントになかなかつながらないことがあります。上記の場所では、屋内のどこにアクセスポイントが設置されているかがわかりにくいために、電波がよく届く場所を探し回るのも困難です。パソコン側で優先順位を指定しておけば、電波強度が低くても目的のアクセスポイントにつながるようになります。外出先でＷｉ−Ｆｉを使うには必須の設定項目です。
電波強度の高いＳＳＩＤに自動でつながる
こちらへ接続したいのにつながらない
つなぎたいアクセスポイントよりも電波強度が高いものがあれば、そちらが優先される。」（２６頁左欄）
　上記引用例２の記載及び図面並びにこの分野における技術常識を考慮すると、上記ロ．の『パソコンに登録したアクセスポイントを確認する　次ページの手順で「ネットワークと共有センター」を開き［ワイヤレスネットワークの管理］を押す。暗号化キーを登録したアクセスポイントが表示される　パソコンに暗号化キーを登録したアクセスポイントの一覧が表示される。』との記載、及び２５頁右下図によれば、引用例２の無線通信方法は、アクセスポイントとパソコンとが無線通信するための無線通信方法である。
　また、アクセスポイントは、無線通信におけるhkm-rapを含むSSIDを生成し、SSIDを含む電波を送信していることが読み取れる。ここで、アクセスポイントは、アクセスポイントとパソコンとの無線通信に用いられる予め定められた暗号化キーを記憶し、記憶した暗号化キーを用いて無線設定を行っていることは明らかである。
　そうすると、無線通信方法は、アクセスポイントが、（α）アクセスポイントとパソコンとの無線通信に用いられる予め定められた暗号化キー（以下「第１の暗号化キー」という。）を記憶しており、この手順を第１の記憶手順と称することは任意である。
　また、無線通信方法は、アクセスポイントが、（β）記憶した暗号化キーを用いて無線設定を行っており、この手順を設定手順と称することは任意である。
　また、無線通信方法は、アクセスポイントが、（γ）無線通信におけるhkm-rapを含むSSIDを生成しており、この手順を生成手順と称することは任意である。
　また、無線通信方法は、アクセスポイントが、（δ）SSIDを含む電波を送信しており、この手順を送信手順と称することは任意である。
　また、上記ハ．における「電波強度の高いＳＳＩＤに自動でつながる」との記載、及び２６頁右上図における、パソコンに予め定められた暗号化キー（以下「第２の暗号化キー」という。）を記憶して、アクセスポイントとパソコンが自動でつながる態様に着目すれば、パソコンは、前述の送信手順で送信された電波を受信し、受信した電波から前述の生成手順で生成されたSSIDに含まれるhkm-rapを抽出していることが読み取れる。ここで、パソコンは、アクセスポイントとパソコンとの無線通信に用いられる、予め定められた第２の暗号化キーを記憶し、前述の抽出手順で抽出されたhkm-rapを用いて記憶した第１の暗号化キーと対応する暗号化キーを決定し、決定された暗号化キーを用いてアクセスポイントとの無線通信の接続を確立していることは明らかである。
　そうすると、無線通信方法は、パソコンが、（ε）送信手順で送信された電波を受信しており、この手順を受信手順と称することは任意である。
　また、無線通信方法は、パソコンが、（ζ）受信手順で受信した電波から生成手順で生成されたSSIDに含まれるhkm-rapを抽出しており、この手順を抽出手順と称することは任意である。
　また、無線通信方法は、パソコンが、（η）アクセスポイントとパソコンとの無線通信に用いられる、予め定められた第２の暗号キーを記憶しており、この手順を第２の記憶手順と称することは任意である。
　また、無線通信方法は、パソコンが、（θ）抽出手順で抽出されたhkm-rapを用いて第２の記憶手順で記憶した第１の暗号化キーと対応する暗号化キーを決定しており、この手順を決定手順と称することは任意である。
　また、無線通信方法は、パソコンが、（ι）決定手順で決定された暗号化キーを用いてアクセスポイントとの無線通信の接続を確立しており、この手順をネットワーク制御手順と称することは任意である。
　したがって、上記（α）ないし（ι）より、上記引用例２には、以下の発明（以下「引用発明２」という。）が記載されているものと認められる。
　
　「アクセスポイントとパソコンとが無線通信するための無線通信方法であって
　前記アクセスポイントと前記パソコンとの無線通信に用いられる予め定められた第１の暗号化キーを記憶する第１の記憶手順と、
　前記第１の記憶手順で記憶した第１の暗号化キーを用いて無線設定を行う設定手順と、
　前記無線通信におけるhkm-rapを含むSSIDを生成する生成手順と、
　前記生成手順で生成されたSSIDを含む電波を送信する送信手順と、を備え、
　前記パソコンは、
　前記送信手順で送信された電波を受信する受信手順と、
　前記受信手順で受信した電波から前記生成手順で生成されたSSIDに含まれる前記hkm-rapを抽出する抽出手順と、
　前記アクセスポイントと前記パソコンとの無線通信に用いられる、予め定められた第２の暗号キーを記憶する第２の記憶手順と、
　前記抽出手順で抽出されたhkm-rapを用いて前記第２の記憶手順で記憶した前記第１の暗号化キーと対応する暗号化キーを決定する決定手順と、
　前記決定手順で決定された暗号化キーを用いて前記アクセスポイントとの無線通信の接続を確立するネットワーク制御手順と、
　を含む無線通信方法。」
３．対比・判断 
　本願発明と引用発明２とを対比する。
ａ．引用発明２の「アクセスポイント」は、通信装置に接続される通信装置であるから、本願発明の「第１の通信装置」ということができる。
ｂ．引用発明２の「パソコン」は、通信装置に接続する通信装置であるから、本願発明の「第２の通信装置」ということができる。
ｃ．本願明細書段落【００４０】における「無線の通信モード、認証方式、暗号方式、無線の通信プロトコル及び接続される無線端末装置のＩＰ（Ｉｎｔｅｒｎｅｔ　Ｐｒｏｔｏｃｏｌ）アドレス」との記載によれば、本願発明の「無線設定情報」は、無線の通信モード、認証方式、暗号方式、無線の通信プロトコル及び接続される無線端末装置のＩＰアドレスを含むものである。一方、引用発明２の「暗号化キー」は、暗号方式を含むものである。
　したがって、引用発明２の「暗号化キー」は、本願発明の「無線設定情報」ということができる。
ｄ．引用発明２の「hkm-rap」は、アクセスポイントの固有の識別情報であるから、本願発明の「固有の識別情報」ということができる。
ｅ．引用発明２の「hkm-rapを含むSSID」は、上記ｄ．の対比を考慮すると、本願発明の「固有の識別情報を含む情報」ということができる。
ｆ．引用発明２の「電波」は、識別情報を含む無線信号であるから、本願発明の「信号」ということができる。
　したがって、本願発明と引用発明２は、以下の点で一致ないし相違している。
＜一致点＞
　「第１の通信装置と第２の通信装置とが無線通信するための無線通信方法であって、
　前記第１の通信装置と前記第２の通信装置との無線通信に用いられる予め定められた第１の無線設定情報を記憶する第１の記憶手順と、
　前記第１の記憶手順で記憶した第１の無線設定情報を用いて無線設定を行う設定手順と、
　前記無線通信における固有の識別情報を含む情報を生成する生成手順と、
　前記生成手順で生成された情報を含む信号を送信する送信手順と、を備え、
　前記第２の通信装置は、
　前記送信手順で送信された信号を受信する受信手順と、
　前記受信手順で受信した信号から前記生成手順で生成された情報に含まれる前記固有の識別情報を抽出する抽出手順と、
　前記第１の通信装置と前記第２の通信装置との無線通信に用いられる、予め定められた一の第２の無線設定情報を記憶する第２の記憶手順と、
　前記抽出手順で抽出された固有の識別情報を用いて前記第２の記憶手順で記憶した前記第１の無線設定情報と対応する無線設定情報を決定する決定手順と、
　前記決定手順で決定された無線設定情報を用いて前記第１の通信装置との無線通信の接続を確立するネットワーク制御手順と、
　を含むことを特徴とする無線通信方法。」
＜相違点＞
　一致点の「前記第１の無線設定情報と対応する無線設定情報を決定する決定手順」に関し、
　本願発明は、「一又は複数の第２の無線設定情報の中から」前記第１の無線設定情報と対応する無線設定情報を決定するのに対し、引用発明２は、第１の暗号化キーと対応する暗号化キーを決定するものの、当該「一又は複数の第２の無線設定情報の中から」との特定がない点。
　そこで、上記相違点について検討する。
　引用発明２は、第１の暗号化キーと対応する暗号化キーを決定するところ、パソコンは、アクセスポイントとパソコンとの無線通信に用いられる、予め定められた第２の暗号キーを記憶する第２の記憶手順を備えているものである。ここで、第１の暗号化キーと対応する第２の暗号キー（第２の無線設定情報）は、一つのみあることは明らかである。
　そうすると、引用発明２の「第１の暗号化キーと対応する暗号化キーを決定する」際に、第２の記憶手順で記憶した第２の暗号キーの中から一つを決定すること、すなわち、上記相違点に係る手順となることは、自然である。
４．むすび 
　以上のとおり、本願発明は、引用発明２に基づいて当業者が容易に発明をすることができたものであるから、特許法第２９条第２項の規定により特許を受けることができない。 
　したがって、本願は、その余の請求項に論及するまでもなく拒絶すべきものである。
　よって、結論のとおり審決する。